(57)【要約】【課題】セットサイズやデザイン等に影響を与えることなく、更なる小型化及び低コスト化を図る。【解決手段】蓋体２７を回動部材２６と一体に開口部２１を閉塞する方向に回動させた後、蓋体２７を回動部材２６の回動中心側に向かってスライドさせると、操作部材３３のガイド突部４０がガイド孔３９の傾斜面部３９ａと摺接しながら、操作部材３３が引張りコイルバネ３４の付勢に抗してスライド方向の他方側へとスライドする。そして、ガイド突部４０のガイド孔３９と摺接される面が傾斜面部３９ｂから水平面部３９ａに切り換わることによって、ガイド突部４０がガイド孔３９の水平面部３９ａと摺接しながら、操作部材３３が引張りコイルバネ３４に付勢されてスライド方向の一方側へとスライドする。これにより、蓋体２７が開口部２１を閉塞した状態となる。【選択図】　図９
2004022998.tif 000002
【特許請求の範囲】
【請求項１】
開口部を開閉する位置に回動可能に設けられた回動部材と、
上記回動部材にスライド可能に設けられ、上記回動部材と一体に回動されて上記開口部を開閉する蓋体と、
上記蓋体が上記回動部材の回動中心側に向かってスライドし、上記開口部を閉塞した状態において、上記蓋体が上記回動部材と一体に上記開口部を開放する方向に回動することを係止する回動係止手段と、
上記蓋体が上記回動部材の回動中心とは反対側に向かってスライドし、上記回動係止手段による係止状態が解除されることを防止する蓋ロック機構とを備え、上記蓋ロック機構は、上記蓋体にスライド可能に設けられ、上記回動部材側に突出するガイド突部を上記蓋体のスライド方向と略直交する方向に移動操作する操作部材と、上記操作部材をスライド方向の一方側へと付勢する付勢手段と、上記回動部材に設けられ、上記蓋体の上記回動部材に対するスライドが係止されるロック位置と上記蓋体の上記回動部材に対する係止状態が解除されるアンロック位置との間で、上記ガイド突部を案内するガイド部とを有し、
上記ガイド部は、上記ガイド突部と摺接される面のうち、上記操作部材のスライド方向と平行に形成され、上記ガイド突部を上記ロック位置に位置させる水平面部と、上記水平面部の上記操作部材が上記付勢手段の付勢に抗してスライド方向の他方側へとスライドされる側の端部から上記アンロック位置に向かって上記操作部材のスライド方向の一方側へと斜めに形成され、上記ガイド突部を上記ロック位置と上記アンロック位置との間で移動させる傾斜面部とを有することを特徴とする蓋開閉装置。
【請求項２】
上記回動部材を上記開口部が開放される方向に付勢する他の付勢手段を備えることを特徴とする請求項１記載の蓋開閉装置。
【請求項３】
上記回動係止手段は、上記蓋体に設けられた係合部と、上記係合部と係合される被係合部とを有し、上記蓋体が上記開口部を閉塞した状態において、上記係合部と上記被係合部とが互いに係合されることによって、上記蓋体が上記回動部材と一体に上記開口部を開放する方向に回動することを係止することを特徴とする請求項１記載の蓋開閉装置。
【請求項４】
被収納物が挿脱される開口部が形成された筐体と、
上記筐体の開口部を通して上記被収納物が収納される収納部と、
上記筐体の開口部を開閉する位置に回動可能に設けられた回動部材と、
上記回動部材にスライド可能に設けられ、上記回動部材と一体に回動されて上記筐体の開口部を開閉する蓋体と、
上記蓋体が上記回動部材の回動中心側に向かってスライドし、上記蓋体が上記筐体の開口部を閉塞した状態において、上記蓋体が上記回動部材と一体に上記筐体の開口部を開放する方向に回動することを係止する回動係止手段と、
上記蓋体が上記回動部材の回動中心とは反対側に向かってスライドし、上記回動係止手段による係止状態が解除されることを防止する蓋ロック機構とを備え
上記蓋ロック機構は、上記蓋体にスライド可能に設けられ、上記回動部材側に突出するガイド突部を上記蓋体のスライド方向と略直交する方向に移動操作する操作部材と、上記操作部材をスライド方向の一方側へと付勢する付勢手段と、上記回動部材に設けられ、上記蓋体の上記回動部材に対するスライドが係止されるロック位置と上記蓋体の上記回動部材に対する係止状態が解除されるアンロック位置との間で、上記ガイド突部を案内するガイド部とを有し、
上記ガイド部は、上記ガイド突部と摺接される面のうち、上記操作部材のスライド方向と平行に形成され、上記ガイド突部を上記ロック位置に位置させる水平面部と、上記水平面部の上記操作部材が上記付勢手段の付勢に抗してスライド方向の他方側へとスライドされる側の端部から上記アンロック位置に向かって上記操作部材のスライド方向の一方側へと斜めに形成され、上記ガイド突部を上記ロック位置と上記アンロック位置との間で移動させる傾斜面部とを有することを特徴とする電子機器。
【請求項５】
上記回動部材を上記筐体の開口部が開放される方向へと付勢する他の付勢手段を備えることを特徴とする請求項４記載の電子機器。
【請求項６】
上記回動係止手段は、上記蓋体に設けられた係合部と、上記筐体又は上記収納部に設けられた被係合部とを有し、上記蓋体が上記筐体の開口部を閉塞した状態において、上記係合部と上記被係合部とが互いに係合されることによって、上記蓋体が上記回動部材と一体に上記筐体の開口部を開放する方向に回動することを係止することを特徴とする請求項４記載の電子機器。
【請求項７】
上記蓋体は、上記筐体の開口部を開放した状態において、上記筐体と当接されることによって、上記回動部材の回動中心側に向かってスライドすることが係止されることを特徴とする請求項４記載の電子機器。
【請求項８】
上記蓋体は、上記筐体の開口部を閉塞した状態において上記筐体の一部を構成することを特徴とする請求項４記載の電子機器。
【請求項９】
上記収納部は、上記筐体内のコーナー部に設けられていることを特徴とする請求項４記載の電子機器。
【発明の詳細な説明】
【０００１】
【発明の属する技術分野】
本発明は、開口部を開閉する蓋開閉装置、並びにそのような蓋開閉装置により開閉される筐体の開口部を通して、例えば二次電池等の被収納物が収納される電子機器に関する。
【０００２】
【従来の技術】
従来より、ビデオカメラやデジタルスチルカメラ等の携帯可能な電子機器では、電源として二次電池が用いられている。このため、電子機器は、筐体の内部に電池を収納するための電池収納装置を備えている。電池収納装置は、筐体に形成された開口部を通して電池が収納される電池収納部と、この電池収納部の開口部を開閉する電池蓋とを有している。また、電池収納装置には、比較的重量が大きくなる二次電池を電池収納部に確実に保持するため、電池収納部に収納された二次電池を直接係止する電池ロック機構が設けられている。
【０００３】
また、電子機器は、電池蓋を開閉する蓋開閉装置を備えており、この蓋開閉装置は、電池ロック機構による二次電池の係止状態が仮に解除された場合でも、二次電池が筐体の開口部から安易に飛び出したり、落下することがないように、電池蓋の誤った開放動作を防止する蓋ロック機構を備えたものが現在主流となっている。
【０００４】
このような蓋ロック機構を備える蓋開閉装置について説明する。
【０００５】
例えば図１２に示す蓋開閉装置１００は、二次電池１０１が収納される電池収納部１０２に臨む筐体１０３の開口部１０３ａを開閉するものであり、この筐体１０３の開口部１０３ａを通して電池収納部１０２に二次電池１０１が収納される。
【０００６】
この蓋開閉装置１００は、筐体１０３の開口部１０３ａを開閉する位置に回動可能に取り付けられた回動部材１０４と、この回動部材１０４にスライド可能に取り付けられ、回動部材１０４と一体に回動されて筐体１０３の開口部１０３ａを開閉する蓋体１０５とを備えており、図１３に示すように、蓋体１０５を回動部材１０４と一体に筐体１０３の開口部１０３ａを閉塞する方向に回動させた後に、図１４に示すように、蓋体１０５を回動部材１０４の回動中心側に向かってスライドさせることによって、蓋体１０５が筐体１０３の開口部１０３ａを閉塞する。
【０００７】
そして、この蓋開閉装置１００は、蓋体１０５が筐体１０３の開口部１０３ａを閉塞した状態において、蓋体１０５を筐体１０３に係止する蓋ロック機構１０６を備えている。
【０００８】
この蓋ロック機構１０６は、図１４及び図１５に示すように、蓋体１０５のスライド方向と直交する方向にスライド操作される操作部材１０７と、この操作部材１０７と蓋体１０５との間に張架された引張りコイルバネ１０８とを有し、この引張りコイルバネ１０８によって操作部材１０７がスライド方向の一方側へと付勢されている。
【０００９】
操作部材１０７には、蓋体１０５に形成された長孔１０５ａから外部に臨む操作突部１０７ａと、蓋体１０３の開口部１０３ａと対向する主面側に取り付けられたカバー部材１０９との間から外部に臨むロック爪１０７ｂと、回動部材１０４に形成されたガイド孔１０４ａと摺接されるガイド突部１０７ｃとが設けられている。
【００１０】
このうち、操作突部１０７ａは、引張りコイルバネ１０８の付勢に抗して操作部材１０７をスライド方向の他方側へとスライド操作するためのものであり、操作部材１０７の蓋体１０５と対向する主面から長孔１０５ａに向かって突出形成されている。
【００１１】
ロック爪１０７ｂは、蓋体１０５が筐体１０３の開口部１０３ａを閉塞した状態において、蓋体１０５が回動部材１０４の回動中心とは反対側に向かってスライドすることを係止するためのものであり、蓋体１０５とカバー部材１０９との間から外部に臨む操作部材１０７のスライド方向の一方側に突出形成されている。一方、筐体１０３には、ロック爪１０７ｂと摺接されることによって、操作部材１０７を引張りコイルバネ１０８の付勢に抗してスライド方向の他方側へとスライドさせると共に、蓋体１０５が筐体１０３の開口部１０３ａを閉塞した状態において、ロック爪１０７ｂと係合されることによって、蓋体１０５が回動部材１０４の回動中心とは反対側に向かってスライドすることを係止するロック部１１０が設けられている。
【００１２】
また、蓋体１０５及び筐体１０３には、係合部１０５ｂ及び被係合部１０３ｂが設けられており、蓋体１０５が筐体１０３の開口部１０３ａを閉塞した状態において、蓋体１０５の係合部１０５ｂが筐体１０３の被係合部１０３ｂと係合されることによって、蓋体１０５が回動部材１０４と一体に筐体１０３の開口部１０３ａを開放する方向に回動することを係止する。
【００１３】
ガイド突部１０７ｃは、回動部材１０４のガイド孔１０４ａと摺接することによって、蓋体１０５を筐体１０３に係止するロック位置と、蓋体１０５の筐体１０３に対する係止状態を解除するアンロック位置との間で移動操作されるものであり、操作部材１０７の回動部材１０４と対向する主面からガイド孔１０４ａに向かって突出形成されている。一方、ガイド孔１０４ａには、このガイド突部１０７ｃをロック位置とアンロック位置との間で切り換える切換突部１１１が設けられている。
【００１４】
以上のように構成される蓋ロック機構１０６を備える蓋開閉装置１００では、図１５に示す蓋体１０５が筐体１０３の開口部１０３ａを閉塞した状態から、操作突部１０７ａを長孔１０５ａに沿ってスライド操作することによって、図１６に示すように、操作部材１０７を引張りコイルバネ１０８の付勢に抗してスライド方向の他方側へとスライドさせる。すると、ロック爪１０７ｂとロック部１１０との係合状態が解除されると共に、ロック位置に位置するガイド突部１０７ｃがガイド孔１０４ａの切換突部１１１と摺接しながら、この切換突部１１１の頂上部へと相対移動する。そして、この状態から、図１７に示すように、蓋体１０５を回動部材１０４の回動中心とは反対側に向かってスライドさせると、ガイド突部１０７ｃが切換突部１１１の頂上部と摺接しながら、ロック位置側からアンロック位置側へと相対移動する。このとき、ロック爪１０７ｂは、スライド方向の他方側に位置したまま、ロック部１１０と干渉することなく、蓋体１０５と一体に回動部材１０４の回動中心とは反対側に向かって移動する。そして、この状態から、図１８に示すように、更に蓋体１０５を回動部材１０４の回動中心とは反対側に向かってスライドさせることによって、ガイド突部１０７ｃが切換突部１１１を通過し、アンロック位置へと相対移動する。このとき、図１９に示すように、操作部材１０７が引張りコイルバネ１０８に付勢されてスライド方向の一方側へとスライドされる。この時点において、ロック爪１０７ｂは、ロック部１１０を通過しており、また、蓋体１０５の係合部１０５ｂと筐体１０３の被係合部１０３ｂとは、互いの係合状態が解除されている。したがって、この状態から、蓋体１０５を回動部材１０４と一体に筐体１０３の開口部１０３ａを開放する方向に回動することによって、蓋体１０５が筐体１０３の開口部１０３ａを開放した状態とすることができる。
【００１５】
一方、蓋体１０５が筐体１０３の開口部１０３ａを開放した状態から、図１９に示すように、蓋体１０５を回動部材１０４と一体に筐体１０３の開口部１０３ａを閉塞する方向に回動させた後、蓋体１０５を回動部材１０４の回動中心に向かってスライドさせると、図１８に示すように、ロック爪１０７ｂがロック部１１０と摺接されながら、操作部材１０７が引張りコイルバネ１０８の付勢に抗してスライド方向の他方側へとスライドされる。このとき、アンロック位置に位置するガイド突部１０７ｃがガイド孔１０４ａの切換突部１１１と摺接しながら、この切換突部１１１の頂上部へと相対移動する。そして、この状態から、図１７に示すように、更に蓋体１０５を回動部材１０４の回動中心に向かってスライドさせることによって、ガイド突部１０７ｃが切換突部１１１の頂上部と摺接しながら、アンロック位置側からロック位置側へと相対移動する。
【００１６】
そして、この状態から、図１６に示すように、更に蓋体１０５を回動部材１０４の回動中心側に向かってスライドさせることによって、ガイド突部１０７ｃが切換突部１１１を通過し、ロック位置へと相対移動する。このとき、図１５に示すように、操作部材１０７が引張りコイルバネ１０８に付勢されてスライド方向の一方側へとスライドされることによって、ロック爪１０７ｂとロック部１１０とが互いに係合された状態となる。また、蓋体１０５が筐体１０３の開口部１０３ａを閉塞した状態において、蓋体１０５の係合部１０５ｂと筐体１０３の被係合部１０３ｂとが互いに係合された状態となる。これにより、蓋体１０５が回動部材１０４と一体に筐体１０３の開口部１０３ａを開放する方向に回動することが係止されると共に、蓋体１０５が回動部材１０４の回動中心とは反対側に向かってスライドすることが係止されることから、蓋体１０５の誤った開放動作を防止することができる。
【００１７】
【発明が解決しようとする課題】
ところで、上述した従来の蓋開閉装置１００では、図１５に示すように、蓋体１０５を筐体１０３に係止するために、操作部材１０７に設けられたロック爪１０７ｂを筐体１０３に設けられたロック部１１０に係止する構造となっている。このため、筐体１０３には、ロック部１１０を配置するスペースＳが必要となる。
【００１８】
しかしながら、このようなスペースＳを筐体１０３側に設けた場合には、電子機器のセットサイズやデザインに直接影響を与えることになり、また、電子機器の更なる小型化や低コスト化の要求に応えることが困難となるといった問題があった。
【００１９】
そこで、本発明は、このような従来の事情に鑑みて提案されたものであり、電子機器のセットサイズやデザイン等に影響を与えることなく、開口部を適切に開閉操作することを可能とした蓋開閉装置を提供することを目的とする。
【００２０】
また、本発明は、そのような蓋開閉装置を備えることによって、セットサイズやデザイン等に影響を与えることなく、更なる小型化及び低コスト化を可能とした電子機器を提供することを目的とする。
【００２１】
【課題を解決するための手段】
この目的を達成するために、本発明に係る蓋開閉装置は、開口部を開閉する位置に回動可能に設けられた回動部材と、回動部材にスライド可能に設けられ、回動部材と一体に回動されて開口部を開閉する蓋体と、蓋体が回動部材の回動中心側に向かってスライドし、開口部を閉塞した状態において、蓋体が回動部材と共に開口部を開放する方向に回動することを係止する回動係止手段と、蓋体が回動部材の回動中心とは反対側に向かってスライドし、回動係止手段による係止状態が解除されることを防止する蓋ロック機構とを備える。蓋ロック機構は、蓋体にスライド可能に設けられ、回動部材側に突出するガイド突部を蓋体のスライド方向と略直交する方向に移動操作する操作部材と、操作部材をスライド方向の一方側へと付勢する付勢手段と、回動部材に設けられ、蓋体の回動部材に対するスライドが係止されるロック位置と蓋体の回動部材に対する係止状態が解除されるアンロック位置との間で、ガイド突部を案内するガイド部とを有する。そして、ガイド部は、ガイド突部と摺接される面のうち、操作部材のスライド方向と平行に形成され、ガイド突部をロック位置に位置させる水平面部と、水平面部の操作部材が付勢手段の付勢に抗してスライド方向の他方側へとスライドされる側の端部からアンロック位置に向かって操作部材のスライド方向の一方側へと斜めに形成され、ガイド突部をロック位置とアンロック位置との間で移動させる傾斜面部とを有することを特徴としている。
【００２２】
以上のように、本発明に係る蓋開閉装置では、蓋体が開口部を開放した状態から、蓋体を回動部材と一体に開口部を閉塞する方向に回動させた後、蓋体を回動部材の回動中心側に向かってスライドさせることによって、蓋体が開口部を閉塞した状態となる。このとき、蓋ロック機構では、操作部材のガイド突部がガイド部の傾斜面部と摺接しながら、アンロック位置側からロック位置側へと相対移動することによって、操作部材が付勢手段の付勢に抗してスライド方向の他方側へとスライドされる。そして、蓋体が開口部を閉塞したとき、ガイド突部のガイド部と摺接される面が傾斜面部から水平面部に切り換わることによって、このガイド突部が水平面部と摺接しながら、操作部材が付勢手段に付勢されてスライド方向の一方側へとスライドする。これにより、蓋体が開口部を閉塞した状態において、ガイド突部がロック位置に保持され、蓋体が回動部材の回動中心とは反対側に向かってスライドすることが係止されると共に、回動係止手段によって蓋体が回動部材と共に開口部を開放する方向に回動することが係止される。
【００２３】
一方、蓋体が開口部を閉塞した状態から、操作部材を付勢手段の付勢に抗してスライド方向の他方側へとスライドさせると、操作部材のガイド突部がガイド部の水平面部と摺接しながら、ロック位置側からアンロック位置側へと相対移動する。そして、この状態から蓋体を回動部材の回動中心とは反対側に向かって僅かにスライドさせると、ガイド突部のガイド部と摺接される面が水平面部から傾斜面部に切り換わることによって、蓋体の回動部材に対する係止状態が解除される。すると、操作部材が付勢手段に付勢されてスライド方向の一方側へとスライドされると共に、ガイド突部が傾斜面部と摺接しながらロック位置側からアンロック位置側へと相対移動する。これに伴って、蓋体が回動部材の回動中心とは反対側に向かってスライドし、回動係止手段による係止状態が解除される。そして、この状態から蓋体を回動部材と一体に筐体の開口部を開放する方向に回動することによって、蓋体が開口部を開放した状態となる。
【００２４】
また、本発明に係る電子機器は、被収納物が挿脱される開口部が形成された筐体と、筐体の開口部を通して被収納物が収納される収納部と、筐体の開口部を開閉する位置に回動可能に設けられた回動部材と、回動部材にスライド可能に設けられ、回動部材と一体に回動されて筐体の開口部を開閉する蓋体と、蓋体が回動部材の回動中心側に向かってスライドし、蓋体が筐体の開口部を閉塞した状態において、蓋体が回動部材と共に筐体の開口部を開放する方向に回動することを係止する回動係止手段と、蓋体が回動部材の回動中心とは反対側に向かってスライドし、回動係止手段による係止状態が解除されることを防止する蓋ロック機構とを備える。蓋ロック機構は、蓋体にスライド可能に設けられ、回動部材側に突出するガイド突部を蓋体のスライド方向と略直交する方向に移動操作する操作部材と、操作部材をスライド方向の一方側へと付勢する付勢手段と、回動部材に設けられ、蓋体の回動部材に対するスライドが係止されるロック位置と蓋体の回動部材に対する係止状態が解除されるアンロック位置との間で、ガイド突部を案内するガイド部とを有する。そして、ガイド部は、ガイド突部と摺接される面のうち、操作部材のスライド方向と平行に形成され、ガイド突部をロック位置に位置させる水平面部と、水平面部の操作部材が付勢手段の付勢に抗してスライド方向の他方側へとスライドされる側の端部からアンロック位置に向かって操作部材のスライド方向の一方側へと斜めに形成され、ガイド突部をロック位置とアンロック位置との間で移動させる傾斜面部とを有することを特徴としている。
【００２５】
以上のように、本発明に係る電子機器では、蓋体が筐体の開口部を開放した状態から、蓋体を回動部材と共に筐体の開口部を閉塞する方向に回動させた後、蓋体を回動部材の回動中心側に向かってスライドさせることによって、蓋体が筐体の開口部を閉塞した状態となる。このとき、蓋ロック機構では、操作部材のガイド突部がガイド部の傾斜面部と摺接しながら、アンロック位置側からロック位置側へと相対移動することによって、操作部材が付勢手段の付勢に抗してスライド方向の他方側へとスライドされる。そして、蓋体が筐体の開口部を閉塞したとき、ガイド突部のガイド部と摺接される面が傾斜面部から水平面部に切り換わることによって、このガイド突部が水平面部と摺接しながら、操作部材が付勢手段に付勢されてスライド方向の一方側へとスライドする。これにより、蓋体が筐体の開口部を閉塞した状態において、ガイド突部がロック位置に保持され、蓋体が回動部材の回動中心とは反対側に向かってスライドすることが係止されると共に、回動係止手段によって蓋体が回動部材と共に開口部を開放する方向に回動することが係止される。
【００２６】
一方、蓋体が筐体の開口部を閉塞した状態から、操作部材を付勢手段の付勢に抗してスライド方向の他方側へとスライドさせると、操作部材のガイド突部がガイド部の水平面部と摺接しながら、ロック位置側からアンロック位置側へと相対移動する。そして、この状態から蓋体を回動部材の回動中心とは反対側に向かって僅かにスライドさせると、ガイド突部のガイド部と摺接される面が水平面部から傾斜面部に切り換わることによって、蓋体の回動部材に対する係止状態が解除される。すると、操作部材が付勢手段に付勢されてスライド方向の一方側へとスライドされると共に、ガイド突部が傾斜面部と摺接しながらロック位置側からアンロック位置側へと相対移動する。これに伴って、蓋体が回動部材の回動中心とは反対側に向かってスライドし、回動係止手段による係止状態が解除される。そして、この状態から蓋体を回動部材と一体に筐体の開口部を開放する方向に回動することによって、蓋体が筐体の開口部を開放した状態となる。
【００２７】
【発明の実施の形態】
以下、本発明を適用した蓋開閉装置及び電子機器について、図面を参照しながら詳細に説明する。
【００２８】
本発明を適用した蓋開閉装置を備える電子機器として、例えば図１及び図２に示すデジタルスチルカメラ１は、筐体２の内部に本体部を備えており、この本体部は、図示を省略するが、被写体の像を結像するレンズ部と、このレンズ部により結像された被写体の像を撮像し電気信号に変換する光電変換部と、この光電変換部により変換された電気信号をデジタル画像データとして処理する信号処理部等を備えている。
【００２９】
また、筐体２は、互いに付き合わされて本体部が収納される空間を構成する一組の正面側ハーフ２ａ及び背面側ハーフ２ｂからなっており、正面側ハーフ２ａには、対物レンズ３やストロボ４、マイクロフォン５、シャッタボタン６等が配置されている。一方、背面側ハーフ２ｂには、液晶ディスプレイ７や電源スイッチ８、ズームレバー９、スピーカ１０等が配置されている。また、背面側ハーフ２ｂには、液晶ディスプレイ７の切り換えや明るさを調節するためのバックライトボタン１１及びブライトボタン１２、スピーカ１０の音量を調節するためのボリュームボタン１３、プレイ（再生）とスチル（静止画）とムービー（動画）とのうち何れかを選択する切換スイッチ１４、その他の機能を選択するコントロールボタン１５等が配置されている。
【００３０】
また、本体部には、撮像された画像データを外部記録媒体であるディスクカートリッジ１６に記録するための画像記録部が設けられており、筐体２の一側面には、ディスクカートリッジ１６が挿脱されるカートリッジ挿脱口１７が設けられている。そして、このカートリッジ挿脱口１７から筐体２内に装填されたディスクカートリッジ１６は、背面側ハーフ２ｂに配置されたイジェクトレバー１８を操作することによって、カートリッジ挿脱口１７から筐体２の外部へと排出可能となっている。
【００３１】
また、本体部には、図３に示すように、筐体２の内部に電源となる二次電池１９を収納するための電池収納装置２０が設けられている。
【００３２】
この電池収納装置２０は、正面側ハーフ２ａの下部コーナー部に形成された開口部２１を通して二次電池１９が収納される電池収納部２２を有し、正面側ハーフ２ａの一側部は、この電池収納部２２に収納される二次電池１９に合わせて略蒲鉾状に膨出された形状を有している。また、電池収納部２２の底部には、図示を省略するが、収納された二次電池１９の電極端子と電気的に接続される本体部側の接続端子と、二次電池１９の挿脱方向に弾性変位可能なコイルバネとが設けられている。
【００３３】
また、電池収納装置２０は、図４に示すように、比較的重量が大きくなる二次電池１９を電池収納部２２に確実に保持するため、電池収納部２２に収納された二次電池１９を直接係止する電池ロック機構２３を有している。この電池ロック機構２３は、電池収納部２２に収納された二次電池１９の筐体２の開口部２１から臨む一面を係止するロック部材２４を有し、このロック部材２４は、先端部２４ａが二次電池の筐体の開口部から臨む一面に沿って折り曲げられた形状を有し、この先端部２４ａが二次電池１９を係止するロック位置と、この先端部２４ａと二次電池１９との係止状態を解除するアンロック位置との間で、基端部側が回動可能に支持されている。また、このロック部材２４は、図示しないバネ部材によってロック位置側へと付勢されている。
【００３４】
したがって、この電池ロック機構２３では、図３に示すように、二次電池１９が筐体２の開口部２１から電池収納部２２に挿入されると、二次電池１９と当接されたロック部材２４の先端部２４ａがバネ部材の付勢に抗してアンロック位置側へと回動される。そして、この状態から、更に二次電池１９が電池収納部２２へと挿入されることによって、コイルバネが圧縮されながら二次電池１９が電池収納部２２に収納される。このとき、図４に示すように、ロック部材２４の先端部２４ａがバネ部材に付勢されてロック位置側へと回動される。そして、ロック部材２４の先端部２４ａが電池収納部２２に収納された二次電池１９の筐体２の開口部２１から臨む一面を係止する。これにより、電池収納部２２に収納された二次電池１９が筐体２の開口部２１から排出される方向に移動するのを係止することができる。一方、この状態から、指等を用いてロック部材２４をバネ部材の付勢に抗して強制的にアンロック位置側へと回動させると、ロック部材２４との係止状態が解除された二次電池１９がコイルバネに付勢されて電池収納部２２から排出方向へと押し出される。これにより、二次電池１９を筐体２の開口部２１を通して電池収納部２２から排出することができる。
【００３５】
また、筐体２の開口部２１は、図２，図３及び図４に示すように、本発明を適用した蓋開閉装置２５によって開閉可能となっている。
【００３６】
この蓋開閉装置２５は、筐体２の開口部２１を開閉する位置に回動可能に取り付けられた回動部材２６と、この回動部材２６にスライド可能に取り付けられ、回動部材２６と一体に回動されて筐体２の開口部２１を開閉する蓋体２７とを備えている。
【００３７】
回動部材２６は、図４に示すように、略矩形平板状に形成された板金からなり、その一側縁部と電池収納部２２を構成する板金との間がヒンジ機構２８によって回動可能に支持されている。また、この回動部材２６は、ヒンジ機構２８に設けられた捻りコイルバネ２９によって筐体２の開口部２１を開放する方向に付勢されている。
【００３８】
蓋体２７は、筐体２と同じ材質のものからなり、筐体２の開口部２１を閉塞した状態において筐体２の一部を構成する。また、蓋体２７は、筐体２の開口部２１と対向する主面に一対のビス３０によって取り付けられたカバー部材３１との間で回動部材を挟み込んだ状態で回動部材２６の回動中心側又はその回動中心とは反対側に向かってスライド可能に取り付けられている。また、蓋体２７は、筐体２の開口部２１を開放した状態において、筐体２と当接されることによって、回動部材２６の回動中心側に向かってスライドすることが係止される。
【００３９】
この蓋開閉装置２５では、図５に示すように、蓋体２７を回動部材２６と一体に筐体２の開口部２１を閉塞する方向に回動させた後に、図６に示すように、蓋体２７を回動部材２６の回動中心側に向かってスライドさせることによって、蓋体２７が筐体２の開口部２１を閉塞する。
【００４０】
そして、この蓋開閉装置２５は、図６及び図７に示すように、蓋体２７の誤った開放動作を防止するために、蓋体２７が筐体２の開口部２１を閉塞した状態において、蓋体２７を筐体２に係止する蓋ロック機構３２を備えている。
【００４１】
この蓋ロック機構３２は、蓋体２７のスライド方向と直交する方向にスライド操作される操作部材３３と、この操作部材３３と蓋体２７との間に張架された引張りコイルバネ３４とを有し、この引張りコイルバネ３４は、一端が蓋体２７に設けられた掛止部３５に掛止され、他端が操作部材３３に設けられた掛止部３６に掛止されることによって、操作部材３３をスライド方向の一方側へと付勢している。
【００４２】
操作部材３３には、蓋体２７に形成された長孔３７から外部に臨む操作突部３８と、回動部材２６に形成されたガイド孔３９と摺接されるガイド突部４０とが設けられている。操作突部３８は、引張りコイルバネ３４の付勢に抗して操作部材３３をスライド方向の他方側へとスライド操作するためのものであり、操作部材３３の蓋体２７と対向する主面から長孔３７に向かって突出形成されている。ガイド突部４０は、回動部材２６のガイド孔３９と摺接することによって、蓋体２７を筐体２に係止するロック位置と、蓋体２７の筐体２に対する係止状態を解除するアンロック位置との間で移動操作されるものであり、操作部材３３の回動部材と対向する主面からガイド孔３９に向かって突出形成されている。
【００４３】
一方、ガイド孔３９は、ガイド突部４０と摺接される面のうち、操作部材３３のスライド方向と平行に形成され、ガイド突部４０をロック位置に位置させる水平面部３９ａと、水平面部３９ａの操作部材３３が引張りコイルバネ３４の付勢に抗してスライド方向の他方側へとスライドされる側の端部からアンロック位置に向かって操作部材３３のスライド方向の一方側へと斜めに形成され、ガイド突部４０をロック位置とアンロック位置との間で移動させる傾斜面部３９ｂとを有している。なお、ガイド孔３９の水平面部３９ａと傾斜面部３９ｂとの間には、操作部材３３のスライド方向と直交して形成された垂直面部が設けられており、この垂直面部をガイド突部４０が摺接することによって、ガイド突部４０のガイド孔３９と摺接される面を水平面部３９ａと傾斜面部３９ｂとの間で適切に切り換わるようにしている。
【００４４】
ところで、蓋体２７のカバー部材３１が取り付けられる主面には、上述した一対のビス３０が螺合されるビス孔４１が形成された一対のスライド突部４２が突出形成されている。一方、回動部材２６には、これら一対のスライド突部４２が係合される一対の長孔４３ａ及び切欠部４３ｂが蓋体２７のスライド方向に沿って形成されている。したがって、蓋体２７は、一対のスライド突部４２が一対の長孔４３ａ及び切欠部４３ｂ内を相対移動することによって、回動部材２６に対してスライド可能となっている。
【００４５】
また、蓋体２７には、図３及び図４に示すように、操作部材３３のスライド方向の両側に位置して、一対の係合片４４ａ，４４ｂが設けられている。一方、筐体２には、これら一対の係合片４４ａ，４４ｂが係合される被係合凹部４５ａ，４５ｂが設けられている。したがって、蓋体２７は、回動部材２６の回動中心側に向かってスライドし、筐体２の開口部２１を閉塞した状態において、一対の係合片４４ａ，４４ｂが筐体２の一対の被係凹部４５ａ，４５ｂと係合されることによって、回動部材２６と一体に筐体２の開口部２１を開放する方向に回動することが係止される。
【００４６】
以上のように構成される蓋ロック機構３２を備える蓋開閉装置２５では、図７に示す蓋体２７が筐体２の開口部２１を閉塞した状態から、操作突部３８を長孔３７に沿ってスライド操作することによって、図８に示すように、操作部材３３を引張りコイルバネ３４の付勢に抗してスライド方向の他方側へとスライドさせる。すると、操作部材３３のガイド突部４０がガイド孔３９の水平面部３９ａと摺接しながら、ロック位置側からアンロック位置側へと相対移動する。そして、この状態から、図９に示すように、蓋体２７を回動部材２６の回動中心とは反対側に向かって僅かにスライドさせると、図１０に示すように、ガイド突部４０のガイド孔３９と摺接される面が水平面部３９ａから傾斜面部３９ｂに切り換わることによって、蓋体２７の回動部材２６に対する係止状態が解除される。すると、図１１に示すように、操作部材３３が引張りコイルバネ３４に付勢されてスライド方向の一方側へとスライドされると共に、ガイド突部４０が傾斜面部３９ｂと摺接しながらロック位置側からアンロック位置側へと相対移動する。これに伴って、蓋体２７が回動部材２６の回動中心とは反対側に向かってスライドし、蓋体２７の一対の係合片４４ａ，４４ｂと筐体２の一対の被係合凹部４５ａ，４５ｂとの係合状態が解除される。そして、この状態から、蓋体２７が回動部材２６と一体に捻りコイルバネ２９に付勢されて筐体２の開口部２１を開放する方向に回動することによって、蓋体２７が筐体２の開口部２１を開放した状態とすることができる。
【００４７】
一方、蓋体２７が筐体２の開口部２１を開放した状態から、図１１に示すように、蓋体２７を回動部材２６と一体に捻りコイルバネ２９の付勢に抗して筐体２の開口部２１を閉塞する方向に回動させた後、蓋体２７を回動部材２６の回動中心に向かってスライドさせることによって、蓋体２７が筐体２の開口部２１を閉塞した状態となる。このとき、蓋ロック機構３２では、図１０及び図９に示すように、操作部材３３のガイド突部４０がガイド孔３９の傾斜面部３９ｂと摺接しながら、アンロック位置側からロック位置側へと相対移動することによって、操作部材３３が引張りコイルバネ３４の付勢に抗してスライド方向の他方側へとスライドされる。そして、図８に示すように、蓋体２７が筐体２の開口部２１を閉塞したとき、ガイド突部４０のガイド孔３９と摺接される面が傾斜面部３９ｂから水平面部３９ａに切り換わることによって、図７に示すように、このガイド突部４０が水平面部３９ａと摺接しながら、操作部材３３が引張りコイルバネ３４に付勢されてスライド方向の一方側へとスライドする。これにより、蓋体２７が筐体２の開口部２１を閉塞した状態において、ガイド突部４０がロック位置に保持され、蓋体２７が回動部材２６の回動中心とは反対側に向かってスライドすることが係止される。また、蓋体２７の一対の係合片４４ａ，４４ａと筐体２の一対の被係合凹部４５ａ，４５ｂとが互いに係合されることによって、蓋体２７が回動部材２６と共に筐体２の開口部２１を開放する方向に回動することが係止される。したがって、蓋体２７の誤った開放動作を防止することができる。
【００４８】
以上のように、本発明を適用した蓋開閉装置２５では、ガイド突部４０がガイド孔３９の傾斜面部３９ｂと摺接しながらロック位置とアンロック位置との間で相対移動することから、上述した図１５に示す従来の蓋開閉装置１００のように、操作部材１０７側にロック爪１０７ｂや筐体１０３側にロック部１１０を設ける必要がなく、これらを配置するためのスペースＳが不要となる。したがって、この蓋開閉装置２５では、デジタルスチルカメラ１のセットサイズやデザイン等に影響を与えることなく、筐体２の開口部２１を適切に開閉操作することが可能であり、蓋ロック機構３２によって誤った開放動作を防止することが可能である。
【００４９】
また、この蓋開閉装置２５では、操作部材３３が引張りコイルバネ３４に付勢されてスライド方向の一方側へとスライドされると、ガイド突部４０がガイド孔３９の傾斜面部３９ｂと摺接しながらロック位置側からアンロック位置側へと相対移動することによって、蓋体２７が回動部材２６の回動中心とは反対側に向かって自動的にスライドすることになる。そして、蓋体２７の一対の係合片４４ａ，４４ｂと筐体２の一対の被係合凹部４５ａ，４５ｂとの係合状態が解除されると、蓋体２７が回動部材２６と一体に捻りコイルバネ２９に付勢されて筐体２の開口部２１を開放する方向に回動することになる。したがって、この蓋開閉装置２５では、筐体２の開口部２１を開放する際の操作性を大幅に向上させることが可能である。
【００５０】
さらに、この蓋開閉装置では、蓋体２７が筐体２の開口部２１を開放した状態において、蓋体２７が筐体２と当接されることによって、蓋体２７が回動部材２６の回動中心側に向かってスライドすることが係止されることから、蓋体２７が筐体２の開口部２１を開放した状態において、蓋体２７が誤って回動部材２６の回動中心側に向かってスライドし、回動部材２６に対して係止状態となることを防止することが可能である。
【００５１】
したがって、上述したデジタルスチルカメラ１では、このような蓋開閉装置２５を備えることによって、上述した電池収納部２２を筐体２内のコーナー部に配置した場合でも、セットサイズやデザイン等に影響を与えることなく、自由な設計が可能となり、更なる小型化及び低コスト化が可能となる。
【００５２】
なお、本発明は、上述したデジタルスチルカメラ１に適用したものに限定されず、筐体の開口部を開閉する蓋開閉装置を備える電子機器に広く適用可能であり、筐体の開口部を通して収納部に収納される被収納物としては、上述した二次電池の他にも、一次電池や、ディスクカートリッジ、カセットテープ等の外部記録媒体を挙げることができる。
【００５３】
【発明の効果】
以上詳細に説明したように、本発明によれば、電子機器のセットサイズやデザイン等に影響を与えることなく、蓋開閉装置によって開口部を適切に開閉操作することが可能であり、このような蓋開閉装置を備えることによって電子機器の更なる小型化及び低コスト化が可能である。
【図面の簡単な説明】
【図１】本発明を適用したデジタルスチルカメラを正面側から見た斜視図である。
【図２】上記デジタルスチルカメラを背面側から見た斜視図である。
【図３】上記デジタルスチルカメラが備える電池収納装置において、筐体の開口部を通して電池収納部に二次電池が挿脱される状態を示す斜視図である。
【図４】上記デジタルスチルカメラが備える電池収納装置において、電池収納部に収納された二次電池が電池ロック機構により係止された状態を示す斜視図である。
【図５】上記デジタルスチルカメラが備える蓋開閉装置において、蓋体が回動部材の回動中心とは反対側に位置する状態を示す斜視図である。
【図６】上記デジタルスチルカメラが備える蓋開閉装置において、蓋体が筐体の開口部を閉塞した状態を示す斜視図である。
【図７】上記デジタルスチルカメラが備える蓋開閉装置において、蓋体が筐体の開口部を閉塞した状態を示す透視平面図である。
【図８】上記デジタルスチルカメラが備える蓋開閉装置において、ガイド突部がロック位置に位置して操作部材が引張りコイルバネの付勢に抗してスライド方向の他方側へとスライドされた状態を示す透視平面図である。
【図９】上記デジタルスチルカメラが備える蓋開閉装置において、ガイド突部がガイド孔と摺接しながらロック位置とアンロック位置との間で移動される状態を示す透視平面図である。
【図１０】上記デジタルスチルカメラが備える蓋開閉装置において、ガイド突部がアンロック位置に位置して操作部材が引張りコイルバネの付勢に抗してスライド方向の他方側へとスライドされた状態を示す透視平面図である。
【図１１】上記デジタルスチルカメラが備える蓋開閉装置において、蓋体が回動部材の回動中心とは反対側に位置する状態を示す透視平面図である。
【図１２】従来の蓋開閉装置において、蓋体が筐体の開口部を開放した状態を示す斜視図である。
【図１３】上記従来の蓋開閉装置において、蓋体が回動部材と一体に回動される状態を示す斜視図である。
【図１４】上記従来の蓋開閉装置において、蓋体が筐体の開口部を閉塞した状態を示す斜視図である。
【図１５】上記従来の蓋開閉装置において、蓋体が筐体の開口部を閉塞した状態を示す透視平面図である。
【図１６】上記従来の蓋開閉装置において、ガイド突部がロック位置に位置して操作部材が引張りコイルバネの付勢に抗してスライド方向の他方側へとスライドされた状態を示す透視平面図である。
【図１７】上記従来の蓋開閉装置において、ガイド突部が切換突部の頂上部と摺接しながらロック位置とアンロック位置との間で移動される状態を示す透視平面図である。
【図１８】上記従来の蓋開閉装置において、ガイド突部がアンロック位置に位置して操作部材が引張りコイルバネの付勢に抗してスライド方向の他方側へとスライドされた状態を示す透視平面図である。
【図１９】上記従来の蓋開閉装置において、蓋体が回動部材の回動中心とは反対側に位置する状態を示す透視平面図である。
【符号の説明】
１　デジタルスチルカメラ、２　筐体、１９　二次電池、２０　電池収納装置、２１　開口部、２２　電池収納部、２３　電池ロック機構、２５　蓋開閉装置、２６　回動部材、２７　蓋体、２８　ヒンジ機構、２９　捻りコイルバネ、３１　カバー部材、３２　蓋ロック機構、３３　操作部材、３４　引張りコイルバネ、３７　長孔、３８　操作突部、３９　ガイド孔、３９ａ　水平面部、３９ｂ傾斜面部、４０　ガイド突部、４４ａ，４４ｂ　係合片、４５ａ，４５ｂ　被係合凹部、
【図１】
2004022998.tif 000003
【図２】
2004022998.tif 000004
【図３】
2004022998.tif 000005
【図４】
2004022998.tif 000006
【図５】
2004022998.tif 000007
【図６】
2004022998.tif 000008
【図７】
2004022998.tif 000009
【図８】
2004022998.tif 000010
【図９】
2004022998.tif 000011
【図１０】
2004022998.tif 000012
【図１１】
2004022998.tif 000013
【図１２】
2004022998.tif 000014
【図１３】
2004022998.tif 000015
【図１４】
2004022998.tif 000016
【図１５】
2004022998.tif 000017
【図１６】
2004022998.tif 000018
【図１７】
2004022998.tif 000019
【図１８】
2004022998.tif 000020
【図１９】
2004022998.tif 000021